(57)【特許請求の範囲】
【請求項１】
実績時間収集の対象となる作業者のそれぞれが使用するＲＦＩＤタグと、実績時間収集の対象となる作業場所の近傍に設置されたＲＦＩＤリーダライタとを有する実績時間収集システムであって、
前記ＲＦＩＤタグに内蔵された不揮発性メモリには、作業者の識別情報の記憶領域と共に、作業開始時刻及び作業終了時刻を含む時間情報を作業単位ごとに記憶するための複数の時間情報記憶領域が設けられ、更に前記複数の時間情報記憶領域のうちの現在の時間情報記憶領域の格納アドレスを記憶する格納アドレス記憶領域が設けられ、
前記ＲＦＩＤリーダライタは、その近傍に置かれた１又は複数のＲＦＩＤタグに対して所定の時間間隔で近接無線通信を行い、前記ＲＦＩＤタグに内蔵された不揮発性メモリの前記格納アドレスの時間情報記憶領域における作業終了時刻を読み出し、現在時刻と前記作業終了時刻との差が前記時間間隔より大きい場合は、前記格納アドレス記憶領域に記憶された格納アドレスの値をインクリメントした後、その格納アドレスの時間情報記憶領域において前記作業開始時刻及び作業終了時刻に現在時刻を書き込み、前記ＲＦＩＤタグに内蔵された不揮発性メモリの現在の格納アドレスの時間情報記憶領域における作業終了時刻と現在時刻との差が前記時間間隔より大きくない場合は、前記格納アドレスの時間情報記憶領域に記憶された作業終了時刻を現在時刻で上書きする
ことを特徴とする実績時間収集システム。
【請求項２】
作業開始時刻及び作業終了時刻を含む時間情報に加えて、作業場所を示す前記ＲＦＩＤリーダライタの識別情報が、前記不揮発性メモリに設けられた時間情報記憶領域に記憶されることを特徴とする請求項１記載の実績時間収集システム。
【請求項３】
実績時間収集の対象となる作業者のそれぞれが使用するＲＦＩＤタグに内蔵された不揮発性メモリに前記作業者の実績時間を含む情報を書き込むためのＲＦＩＤリーダライタであって、
前記不揮発性メモリには、作業者の識別情報の記憶領域と共に、作業開始時刻及び作業終了時刻を含む時間情報を作業単位ごとに記憶するための複数の時間情報記憶領域が設けられ、更に前記複数の時間情報記憶領域のうちの現在の時間情報記憶領域の格納アドレスを記憶する格納アドレス記憶領域が設けられ、
前記ＲＦＩＤリーダライタは、その近傍に置かれた１又は複数のＲＦＩＤタグに対して所定の時間間隔で近接無線通信を行い、前記ＲＦＩＤタグに内蔵された不揮発性メモリの前記格納アドレスの時間情報記憶領域における作業終了時刻を読み出し、現在時刻と前記作業終了時刻との差が前記時間間隔より大きい場合は、前記格納アドレス記憶領域に記憶された格納アドレスの値をインクリメントした後、その格納アドレスの時間情報記憶領域において前記作業開始時刻及び作業終了時刻に現在時刻を書き込み、前記ＲＦＩＤタグに内蔵された不揮発性メモリの現在の格納アドレスの時間情報記憶領域における作業終了時刻と現在時刻との差が前記時間間隔より大きくない場合は、前記格納アドレスの時間情報記憶領域に記憶された作業終了時刻を現在時刻で上書きすることを特徴とする実績時間収集用ＲＦＩＤリーダライタ。
【請求項４】
実績時間収集の対象となる作業者のそれぞれがＲＦＩＤタグを携行し、実績時間収集の対象となる作業場所の近傍にＲＦＩＤリーダライタを設置し、作業者が作業開始時に前記ＲＦＩＤリーダライタの近傍に前記ＲＦＩＤタグを置き、作業終了時に前記ＲＦＩＤタグを回収することによって、作業単位ごとの作業実績を前記ＲＦＩＤタグに記憶させる実績時間収集方法であって、
前記ＲＦＩＤタグに内蔵された不揮発性メモリには、作業者の識別情報の記憶領域と共に、作業開始時刻及び作業終了時刻を含む時間情報を作業単位ごとに記憶するための複数の時間情報記憶領域が設けられ、更に前記複数の時間情報記憶領域のうちの現在の時間情報記憶領域の格納アドレスを記憶する格納アドレス記憶領域が設けられ、
前記ＲＦＩＤリーダライタは、その近傍に置かれた１又は複数のＲＦＩＤタグに対して所定の時間間隔で近接無線通信を行い、前記ＲＦＩＤタグに内蔵された不揮発性メモリの前記格納アドレスの時間情報記憶領域における作業終了時刻を読み出し、現在時刻と前記作業終了時刻との差が前記時間間隔より大きい場合は、前記格納アドレス記憶領域に記憶された格納アドレスの値をインクリメントした後、その格納アドレスの時間情報記憶領域において前記作業開始時刻及び作業終了時刻に現在時刻を書き込み、前記ＲＦＩＤタグに内蔵された不揮発性メモリの現在の格納アドレスの時間情報記憶領域における作業終了時刻と現在時刻との差が前記時間間隔より大きくない場合は、前記格納アドレスの時間情報記憶領域に記憶された作業終了時刻を現在時刻で上書きする
ことを特徴とする実績時間収集方法。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）タグを用いて作業時間等の実績時間を収集する実績時間収集システム及び方法に関する。
【背景技術】
【０００２】
従業員の勤務時間のような実績時間の収集と管理には、従来からタイムレコーダが広く使用されている。実績時間の収集システムに類する他の従来のシステムとして、駅の自動改札システムや特定領域（部屋）の入退室管理システム等を挙げることができる。
【０００３】
また、工場の製造ラインにおいて、工数の把握や管理のために作業時間の収集が必要な場合がある。この場合にも、上記のタイムレコーダ等の既存の装置、システムを用いて作業時間（実績時間）を収集することが可能である。しかし、作業時間の収集のために新たなキー操作等の負担を作業者に強いることは、本来の作業に影響するので好ましくない。
【０００４】
特許文献１には、ＩＣカードを用いた勤怠管理方法が開示されている。ＩＣカードは、磁気カード等に比べて格段に多くの情報を記録し、読み出すことができる。そこで、磁気カードを使用するタイムレコーダと異なり、出勤時刻や退勤時刻等の情報をＩＣカードに記憶することができ、それによって複数の職場で勤務する従業員の勤怠管理を効率的に行うことを可能にしている。
【０００５】
近年、近接無線通信によって非接触で情報の書き込み及び読み出しが可能なＲＦＩＤタグが各種の分野で実用化されるようになってきた。例えば一部の都市の交通機関でＲＦＩＤタグの技術が改札に実用化されている。また、商品の流通管理や個人認証等の分野でもＲＦＩＤタグが利用されるようになってきている。ＲＦＩＤタグは、高周波回路、制御回路、不揮発性メモリ等からなるハイブリッド集積回路であるＲＦＩＤチップと無線通信及び受電用のアンテナを内蔵し、ＲＦＩＤリーダライタからの電磁誘導によって電源を供給されると共にＲＦＩＤリーダライタとの間でデータの授受を行う。このようなＲＦＩＤタグは、ＩＤタグ、ＩＣタグ又はスマートタグと呼称されることもある。
【特許文献１】特開平２−１７５９５号公報
【発明の開示】
【発明が解決しようとする課題】
【０００６】
従来のタイムレコーダを用いた勤怠管理システムでは、従業員が自分のＩＤ（識別コード）が記録された磁気カードをカードリーダに読み込ませる際に、出勤か退勤かを指示するボタンの押下操作が通常は必要である。時間帯（例えば午前又は午後の区別）に応じてタイムレコーダが出勤か退勤かを判断するようにして従業員の上記のようなボタンの押下操作を省略することが可能であるが、フレキシブルな勤務形態に対応することができない。また、自動改札システムや入退室管理管理システムでは、機構的に入出を区別している。
【０００７】
前述のように、工場の製造ライン等における作業時間を収集する場合は、キー操作等の負担を作業者に極力掛けないことが望ましい。しかし、タイムレコーダを用いた勤怠管理システム等を用いて作業時間を収集する場合は、作業開始や終了をシステムに知らせるための何らかの操作が必要になる。前述の特許文献に記載されたＩＣカードを用いた勤怠管理方法を応用する場合も、そのような操作を省略することは困難である。
【０００８】
そこで、本発明は、近年種々の分野で実用化が進んでいるＲＦＩＤタグを利用して作業者に新たな操作の負担をかけることなく、作業時間等の実績時間を収集するシステム及び方法を提供することを目的とする。
【課題を解決するための手段】
【０００９】
請求項１記載の実績時間収集システムは、実績時間収集の対象となる作業者のそれぞれが使用するＲＦＩＤタグと、実績時間収集の対象となる作業場所の近傍に設置されたＲＦＩＤリーダライタとを有する実績時間収集システムであって、前記ＲＦＩＤタグに内蔵された不揮発性メモリには、作業者の識別情報の記憶領域と共に、作業開始時刻及び作業終了時刻を含む時間情報を作業単位ごとに記憶するための複数の時間情報記憶領域が設けられ、更に前記複数の時間情報記憶領域のうちの現在の時間情報記憶領域の格納アドレスを記憶する格納アドレス記憶領域が設けられ、前記ＲＦＩＤリーダライタは、その近傍に置かれた１又は複数のＲＦＩＤタグに対して所定の時間間隔で近接無線通信を行い、前記ＲＦＩＤタグに内蔵された不揮発性メモリの前記格納アドレスの時間情報記憶領域における作業終了時刻を読み出し、現在時刻と前記作業終了時刻との差が前記時間間隔より大きい場合は、前記格納アドレス記憶領域に記憶された格納アドレスの値をインクリメントした後、その格納アドレスの時間情報記憶領域において前記作業開始時刻及び作業終了時刻に現在時刻を書き込み、前記ＲＦＩＤタグに内蔵された不揮発性メモリの現在の格納アドレスの時間情報記憶領域における作業終了時刻と現在時刻との差が前記時間間隔より大きくない場合は、前記格納アドレスの時間情報記憶領域に記憶された作業終了時刻を現在時刻で上書きすることを特徴とする。
【００１０】
好ましい実施形態（請求項２記載の実績時間収集システム）において、作業開始時刻及び作業終了時刻を含む時間情報に加えて、作業場所を示す前記ＲＦＩＤリーダライタの識別情報が、前記不揮発性メモリに設けられた時間情報記憶領域に記憶される。
【００１２】
請求項３記載の実績時間収集用ＲＦＩＤリーダライタは、実績時間収集の対象となる作業者のそれぞれが使用するＲＦＩＤタグに内蔵された不揮発性メモリに前記作業者の実績時間を含む情報を書き込むためのＲＦＩＤリーダライタであって、前記不揮発性メモリには、作業者の識別情報の記憶領域と共に、作業開始時刻及び作業終了時刻を含む時間情報を作業単位ごとに記憶するための複数の時間情報記憶領域が設けられ、更に前記複数の時間情報記憶領域のうちの現在の時間情報記憶領域の格納アドレスを記憶する格納アドレス記憶領域が設けられ、前記ＲＦＩＤリーダライタは、その近傍に置かれた１又は複数のＲＦＩＤタグに対して所定の時間間隔で近接無線通信を行い、前記ＲＦＩＤタグに内蔵された不揮発性メモリの前記格納アドレスの時間情報記憶領域における作業終了時刻を読み出し、現在時刻と前記作業終了時刻との差が前記時間間隔より大きい場合は、前記格納アドレス記憶領域に記憶された格納アドレスの値をインクリメントした後、その格納アドレスの時間情報記憶領域において前記作業開始時刻及び作業終了時刻に現在時刻を書き込み、前記ＲＦＩＤタグに内蔵された不揮発性メモリの現在の格納アドレスの時間情報記憶領域における作業終了時刻と現在時刻との差が前記時間間隔より大きくない場合は、前記格納アドレスの時間情報記憶領域に記憶された作業終了時刻を現在時刻で上書きすることを特徴とする。
【００１３】
請求項４記載の実績時間収集方法は、実績時間収集の対象となる作業者のそれぞれがＲＦＩＤタグを携行し、実績時間収集の対象となる作業場所の近傍にＲＦＩＤリーダライタを設置し、作業者が作業開始時に前記ＲＦＩＤリーダライタの近傍に前記ＲＦＩＤタグを置き、作業終了時に前記ＲＦＩＤタグを回収することによって、作業単位ごとの作業実績を前記ＲＦＩＤタグに記憶させる実績時間収集方法であって、前記ＲＦＩＤタグに内蔵された不揮発性メモリには、作業者の識別情報の記憶領域と共に、作業開始時刻及び作業終了時刻を含む時間情報を作業単位ごとに記憶するための複数の時間情報記憶領域が設けられ、更に前記複数の時間情報記憶領域のうちの現在の時間情報記憶領域の格納アドレスを記憶する格納アドレス記憶領域が設けられ、前記ＲＦＩＤリーダライタは、その近傍に置かれた１又は複数のＲＦＩＤタグに対して所定の時間間隔で近接無線通信を行い、前記ＲＦＩＤタグに内蔵された不揮発性メモリの前記格納アドレスの時間情報記憶領域における作業終了時刻を読み出し、現在時刻と前記作業終了時刻との差が前記時間間隔より大きい場合は、前記格納アドレス記憶領域に記憶された格納アドレスの値をインクリメントした後、その格納アドレスの時間情報記憶領域において前記作業開始時刻及び作業終了時刻に現在時刻を書き込み、前記ＲＦＩＤタグに内蔵された不揮発性メモリの現在の格納アドレスの時間情報記憶領域における作業終了時刻と現在時刻との差が前記時間間隔より大きくない場合は、前記格納アドレスの時間情報記憶領域に記憶された作業終了時刻を現在時刻で上書きすることを特徴とする。
【発明の効果】
【００１４】
請求項１〜４記載の実績時間収集システム、実績時間収集用ＲＦＩＤリーダライタ及び実績時間収集方法によれば、実績時間収集のための特別な機器操作を作業者に強いることなく簡単に実績時間を収集することができる。つまり、作業者は作業開始時に、作業場所の近傍に設置されたＲＦＩＤリーダライタの近傍（例えばＲＦＩＤリーダライタの上部の載置台）に自分のＲＦＩＤタグを置き、作業終了時にそのＲＦＩＤタグを回収するだけでよい。ＲＦＩＤリーダライタが近接無線通信によってＲＦＩＤタグを検出し、それに内蔵された不揮発性メモリの時間情報記憶領域に作業場所、作業開始時刻及び作業終了時刻の情報を作業単位ごとに記憶させる。したがって、例えば１か月分の作業実績に関する時間情報を作業者各人のＲＦＩＤタグに記憶させておき、１か月ごとにＲＦＩＤタグから時間情報を読み出して集計することが可能である。
【発明を実施するための最良の形態】
【００１５】
以下、図面を参照しながら本発明の実施例について説明する。
【００１６】
図１は、本発明の実施例に係るＲＦＩＤタグを用いた実績時間収集システムの一部を示す構成図である。この実績時間収集システムでは、実績時間収集の対象となるそれぞれの作業者が個人識別情報の記録されたＲＦＩＤタグ１を使用し、実績時間収集の対象となるそれぞれの作業場所の近傍にはＲＦＩＤリーダライタ２が設置されている。ＲＦＩＤリーダライタ２には、制御用の上位コンピュータ３が接続されている。但し、本システムで必要な上位コンピュータ３の機能をＲＦＩＤリーダライタ２に内蔵して上位コンピュータ３を省略することも可能である。
【００１７】
ＲＦＩＤタグ１は、近接無線通信によってＲＦＩＤリーダライタ２から電源供給を受けると共にデータの通信を行う。図１の例ではカード状のＲＦＩＤタグ１を使用するが、これに限るわけではなく、コイン状、棒状等、任意の形状のＲＦＩＤタグを使用することができる。ＲＦＩＤタグ１には、ＲＦＩＤリーダライタ２から電源供給を受けると共にデータの通信を行うためのアンテナとＲＦＩＤチップが内蔵されている。ＲＦＩＤチップは、高周波回路、制御回路、不揮発性メモリ等からなるハイブリッド集積回路である。
【００１８】
図２は、ＲＦＩＤタグ１及びＲＦＩＤリーダライタ２の回路構成の概略を示すブロック図である。ＲＦＩＤタグ１は、不揮発性メモリ１１、制御回路１２、電源回路１３、ＲＦ（高周波）回路１４及びアンテナ（アンテナコイル）１５を内蔵している。不揮発性メモリ１１、制御回路１２、電源回路１３及びＲＦ回路１４はいわゆるＲＦＩＤチップとしてハイブリッドＩＣ化されている。本実施例のようにカード状のＲＦＩＤタグ１は、複数層のプラスチックシートの間にＲＦＩＤチップとアンテナ１５が埋め込まれた構造を有する。
【００１９】
不揮発性メモリ１１は、電気的にデータの書き込み及び読み出しが可能であり、電源が供給されていない状態でも記憶データが保持される。制御回路１２は、例えば不揮発性メモリ１１の制御やＲＦＩＤリーダライタ２との通信制御等のプログラムがあらかじめ書き込まれたマスクＲＯＭを内蔵するマイクロプロセッサで構成される。アンテナ１５は、例えば導電体パターンによって平面コイル状に形成されている。
【００２０】
ＲＦＩＤリーダライタ２は、ＲＦＩＤタグ１に非接触で電源を供給し、またＲＦＩＤタグ１と近接無線通信を行うためのアンテナ２１及びＲＦ（高周波）回路２２を備えている。また、上位機器であるコンピュータ（ＰＣ）３と通信を行うためのインターフェイス（Ｉ／Ｆ）２４や制御回路２３、及びそれらの電源回路２５を備えている。図１に示されているように、ＲＦＩＤリーダライタ２の上面は、複数のＲＦＩＤタグ１を置くことができるＲＦＩＤタグ載置台２ａとなっている。
【００２１】
ＲＦＩＤリーダライタ２の制御回路２３は、ＲＦ回路２２及びアンテナ２１を介して、ＲＦＩＤタグ載置台２ａに置かれたＲＦＩＤタグ１と近接無線通信を行う。ＲＦＩＤタグ１の制御回路１２は、ＲＦＩＤリーダライタ２からのデータ読み出し要求に応じて不揮発性メモリ１１の記憶データを読み出し、ＲＦ回路１４及びアンテナ１５を介してＲＦＩＤリーダライタ２にそのデータを送信する。あるいは、ＲＦＩＤリーダライタ２からのデータ書き込み要求に応じて、与えられたデータを不揮発性メモリ１１の与えられたアドレスに書き込む。
【００２２】
本発明の実績時間収集システムでは、実績時間収集の対象となる作業者は、自分の識別情報が記録されたＲＦＩＤタグ１を作業開始時にＲＦＩＤリーダライタ２の上面であるＲＦＩＤタグ載置台２ａに置く。そして作業終了時にそのＲＦＩＤタグ１をＲＦＩＤタグ載置台２ａから回収する。作業者が特別な操作を行わなくても、ＲＦＩＤリーダライタ２が実行する下記のような処理によって、ＲＦＩＤタグ１には作業開始時刻と作業終了時刻が書き込まれる。
【００２３】
図３は本発明の実績時間収集システムにおいてＲＦＩＤリーダライタ２が実行する処理の例を示すフローチャートである。また、図４は、ＲＦＩＤタグ１の不揮発性メモリ１１に書き込まれるデータのフォーマットテーブルの例を示す図である。図２から図４を参照しながら、実績時間収集のための時刻データ等がＲＦＩＤタグ１に書き込まれる様子について以下に説明する。
【００２４】
なお、図３のフローチャートは、ＲＦＩＤリーダライタ２の制御回路２３が上位コンピュータ３からの指示に従って一定の時間間隔（例えば１分）ごとに実行する処理を示している。この時間間隔は、ＲＦＩＤタグ１の不揮発性メモリ１１への書き込みサイクルに相当し、実績時間収集の必要な精度に応じて増減可能である。また、図３のフローチャートは、１枚のＲＦＩＤタグ（カード）１に関してＲＦＩＤリーダライタ２が実行する処理を示しており、ＲＦＩＤタグ載置台２ａに複数のＲＦＩＤタグ１が置かれている場合は、ＲＦＩＤリーダライタ２がそれぞれのＲＦＩＤタグ１と個別に近接無線通信を行って図３のフローチャートに示す処理を実行する。
【００２５】
図３のステップ＃１０１において、ＲＦＩＤリーダライタ２の制御回路２３は、ＲＦ回路２２及びアンテナ２１を介して、ＲＦＩＤタグ載置台２ａに置かれたＲＦＩＤタグ１と近接無線通信を行い、ＲＦＩＤタグ１を検出すると共に、ＲＦＩＤタグ１の不揮発性メモリ１１に記憶された時刻ＴＯ（ａｄｄｒ）を読み出す。この際、ＲＦＩＤタグ１は、アンテナ１５及びＲＦ回路１４を介してＲＦＩＤリーダライタ２からの電波を受け、その電磁誘導によって電源回路１３で動作電圧を生成し、制御回路１２等に供給する。制御回路１２は、ＲＦＩＤリーダライタ２からのデータ読み出し要求に応じて不揮発性メモリ１１に記憶された時刻ＴＯ（ａｄｄｒ）を読み出し、ＲＦ回路１４及びアンテナ１５を介してＲＦＩＤリーダライタ２にそのデータを送信する。
【００２６】
図４に示すように、不揮発性メモリ１１には、作業者の識別情報である作業者番号１１１、現在の格納アドレス１１２、及び複数の時間情報１１３の記憶領域が設けられている。複数の時間情報１１３の記憶領域には、ＲＦＩＤリーダライタ２の識別情報であるリーダライタＩＤ１１４、作業開始時刻を示すＦＲＯＭ１１５、及び作業終了時刻を示すＴＯ１１６の記憶領域がそれぞれ設けられている。
【００２７】
現在の格納アドレスの値（図４の例では２）は、図３において変数ａｄｄｒで表わされており、１回の作業単位ごとにこの変数ａｄｄｒがインクリメントされる。そして、作業場所（すなわちリーダライタＩＤ）が同じであるか異なるかに関係なく１回の作業単位ごとに、リーダライタＩＤ１１４、作業開始時刻ＦＲＯＭ（ａｄｄｒ）１１５及び作業終了時刻ＴＯ（ａｄｄｒ）１１６からなる新たな時間情報（ａｄｄｒ）が書き込まれる。
【００２８】
すなわち、図３のステップ＃１０２において時刻ＴＯ（ａｄｄｒ）をｔ１とし、現在時刻をｔ２としたときに、ステップ＃１０３において、ｔ２−ｔ１が前述の書き込みサイクルに相当する時間間隔Ｔｉｎｔより大きいか否かをチェックする。すなわち、時刻ＴＯ（ａｄｄｒ）の記憶データであるｔ１は一定の時間間隔Ｔｉｎｔ（例えば１分）ごとに更新される（書き換えられる）ので、現在時刻ｔ２と前回の書き込み時刻ｔ１との差ｔ２−ｔ１を時間間隔Ｔｉｎｔと比較することによって、同じ作業単位が継続しているか否かを判断する。なお、ＲＦＩＤリーダライタ２には、現在時刻を計時するためのリアルタイムクロックが内蔵されている。
【００２９】
現在時刻ｔ２と前回の書き込み時刻ｔ１との差ｔ２−ｔ１が時間間隔Ｔｉｎｔより大きくない場合（ステップ＃１０３のＮｏ）は、両者が等しい場合であり同じ作業単位が継続していることを意味する。したがって、ステップ＃１０４で時刻ＴＯ（ａｄｄｒ）に現在時刻ｔ２を上書きする（更新する）処理を実行する。
【００３０】
現在時刻ｔ２と前回の書き込み時刻ｔ１との差ｔ２−ｔ１が時間間隔Ｔｉｎｔより大きい場合（ステップ＃１０３のＹｅｓ）は、ＲＦＩＤタグ１がＲＦＩＤタグ載置台２ａから一旦回収された後に、同じＲＦＩＤリーダライタ２又は異なる作業場所のＲＦＩＤリーダライタ２のＲＦＩＤタグ載置台２ａに置かれたことを意味する。この場合は、ステップ＃１０５で格納アドレスの値ａｄｄｒをインクリメントし、ステップ＃１０６で新たな時間情報（ａｄｄｒ）の記憶領域において、リーダライタＩＤ１１４を書き込む。
【００３１】
例えば、休憩時間に作業者が一旦作業場所を離れ、しばらくしてからその作業場所に戻って作業を再開した場合は、リーダライタＩＤ１１４は前回の時間情報の記憶領域と同じ値であるが、作業者が作業場所を移動して作業を開始した場合は、前回の時間情報の記憶領域と異なるリーダライタＩＤ１１４が書き込まれることになる。続くステップ＃１０７において、時間情報（ａｄｄｒ）の記憶領域のうち、時刻ＦＲＯＭ（ａｄｄｒ）及び時刻ＴＯ（ａｄｄｒ）に現在時刻ｔ２を書き込む。これらの書き込まれた時刻のうち時刻ＦＲＯＭ（ａｄｄｒ）は書き換えられないが、時刻ＴＯ（ａｄｄｒ）は上述のようにして一定の時間間隔で書き換えられる。つまり、同じ作業単位が継続する間は、時刻ＴＯ（ａｄｄｒ）のみが一定の時間間隔で更新される（ステップ＃１０４）。
【００３２】
一日の作業が終了して、回収されたＲＦＩＤタグ１の不揮発性メモリ１１には、該当する作業者の識別情報（作業者番号１１１）と共に、その作業者が当日行った１又は複数の作業単位の作業場所（リーダライタＩＤ１１４）、作業開始時刻（ＦＲＯＭ）及び作業終了時刻（ＴＯ）がそれぞれ記憶されていることになる。したがって、その記憶情報を所定の管理場所に設けたＲＦＩＤリーダで読み取り、管理用コンピュータで集計すれば、作業者ごとの作業実績の集計や、作業場所（作業工程）ごとの工数の集計を容易に行うことができる。
【００３３】
もちろん、集計までの期間は一日に限らず任意に設定できる。例えば１週間分、あるいは１か月分の時間情報をＲＦＩＤタグ１に記憶させ、１週間ごと、あるいは１か月ごとにＲＦＩＤタグ１から時間情報を読み出して集計するようにしてもよい。集計用のＲＦＩＤリーダや管理用コンピュータとして、複数の作業場所に設置されたＲＦＩＤリーダライタ２及び上位コンピュータ３の１つを使用し、集計用のプログラムを実行させるようにしてもよい。
【００３４】
なお、ＲＦＩＤタグ１の不揮発性メモリ１１の書き換え寿命を長くするためには、複数の時間情報（ａｄｄｒ）の記憶領域を不揮発性メモリ１１のできるだけ広い領域にわたって確保し、その領域全体をできるだけ均一に使用するように格納アドレスの値であるａｄｄｒを管理することが望ましい。また、一定間隔で書き換えられる作業終了時刻（ＴＯ）の記憶領域と書き換えられない作業開始時刻（ＦＲＯＭ）の記憶領域を一定の周期（例えば日単位）で交換するようにしてもよい。
【００３５】
以上、本発明の実施例を適宜変形例に言及しながら説明したが、本発明はこれらの実施例及び変形例を更に改変した形態で実施してもよい。
【図面の簡単な説明】
【００３６】
【図１】本発明の実施例に係るＲＦＩＤタグを用いた実績時間収集システムの一部を示す構成図である。
【図２】ＲＦＩＤタグ及びＲＦＩＤリーダライタの回路構成の概略を示すブロック図である。
【図３】本発明の実績時間収集システムにおいてＲＦＩＤリーダライタが実行する処理の例を示すフローチャートである。
【図４】ＲＦＩＤタグの不揮発性メモリに書き込まれるデータのフォーマットテーブルの例を示す図である。
【符号の説明】
【００３７】
１  ＲＦＩＤタグ
２  ＲＦＩＤリーダライタ
２ａ  ＲＦＩＤタグ載置台
３  上位コンピュータ
１１  不揮発性メモリ
１２  制御回路
１４  高周波回路
１５  アンテナ
１１１  作業者の識別情報の記憶領域
１１２  格納アドレス記憶領域
１１３  時間情報記憶領域
１１４  ＲＦＩＤリーダライタの識別情報
１１５  作業開始時刻
１１６  作業終了時刻
【図１】
0004626937.tif 000002
【図２】
0004626937.tif 000003
【図３】
0004626937.tif 000004
【図４】
0004626937.tif 000005